(57)【要約】【課題】リモコンと外部機器とがそれぞれ別個の装置である場合に、信号を外部機器に出力するための出力端子からリモコンを動作させるための電力を出力することが可能なＡＶ機器を提供する。【解決手段】液晶テレビは、音声信号を外部アンプに出力するための音声信号出力端子１８が設けられたテレビ本体１と、テレビ本体１を遠隔操作するためのリモコン２と、音声信号出力端子１８に外部アンプおよびリモコン２のいずれが接続されたかを判別する判別回路１９と、を備えている。そして、リモコン２が音声信号出力端子１８に接続された場合に、音声信号出力端子１８からリモコン２を動作させるための電力が出力される。【選択図】図６
2010098488.tif 000002
【特許請求の範囲】
【請求項１】
信号を外部機器に出力するための出力端子が設けられた装置本体と、
前記装置本体を遠隔操作するためのリモコンと、を備えた信号出力装置において、
前記装置本体には、前記出力端子に前記外部機器および前記リモコンのいずれが接続されたかを判別する判別回路が設けられており、
前記出力端子は、前記判別回路により前記出力端子に前記リモコンが接続されたと判断された場合に、前記リモコンを動作させるための電力を出力するように構成されていることを特徴とする信号出力装置。
【請求項２】
請求項１に記載の信号出力装置において、
前記装置本体には、
前記リモコンを動作させるための電力を出力する電源回路と、
前記判別回路により前記出力端子に前記リモコンが接続されたと判断された場合に、前記出力端子と前記電源回路とを接続するためのスイッチング素子と、
が設けられていることを特徴とする信号出力装置。
【請求項３】
請求項１または請求項２に記載の信号出力装置において、
前記リモコンには、前記出力端子にケーブルを介して接続される入力端子が設けられていることを特徴とする信号出力装置。
【請求項４】
請求項１ないし請求項３のいずれかに記載の信号出力装置において、
前記判別回路は、前記リモコンのインピーダンスが前記外部機器のインピーダンスよりも大きいことに基づいて、前記出力端子に前記外部機器および前記リモコンのいずれが接続されたかを判別することを特徴とする信号出力装置。
【請求項５】
デジタル音声信号を外部アンプに出力するための音声信号出力端子が設けられた装置本体と、
前記装置本体を遠隔操作するためのリモコンと、を備えたＡＶ（Audio-Visual）機器において、
前記装置本体には、前記音声信号出力端子に前記外部アンプおよび前記リモコンのいずれが接続されたかを判別する判別回路が設けられており、
前記音声信号出力端子は、前記判別回路により前記音声信号出力端子に前記リモコンが接続されたと判断された場合に、前記リモコンを動作させるための電力を出力するように構成されていることを特徴とするＡＶ機器。
【発明の詳細な説明】
【技術分野】
【０００１】
本発明は、装置本体とリモコンとを備えた信号出力装置およびＡＶ（Audio-Visual）機器に関する。
【背景技術】
【０００２】
従来、装置本体と、装置本体を遠隔操作するためのリモコンとを備えた電子機器が種々知られている（たとえば、特許文献１〜３参照）。
【０００３】
上記特許文献１には、端子盤が設けられた空気調和機本体と、空気調和機本体を遠隔操作するためのワイヤレスリモコンとを備えた空気調和機が開示されている。このワイヤレスリモコンには、電気信号を出力する出力端子と、電力が入力される入力端子とが設けられている。そして、ワイヤレスリモコンの出力端子および入力端子と、空気調和機本体の端子盤とが通信ケーブルにより接続されることによって、ワイヤレスリモコンをワイヤードリモコンとして使用することが可能である。これにより、空気調和機本体から通信ケーブルを介してワイヤレスリモコンに電力が供給されるので、ワイヤレスリモコンに電力を供給する乾電池が電池切れした場合にも、ワイヤレスリモコンを動作させることが可能である。
【０００４】
また、上記特許文献２には、音声信号出力端子が設けられた本体と、音声信号入力端子が設けられたリモコンとを備えた携帯用音響装置が開示されている。この携帯用音響装置では、本体の音声信号出力端子とリモコンの音声信号入力端子とがケーブルにより接続されており、本体からケーブルを介してリモコンに音声信号が出力される。また、携帯用音響装置は、音声信号とともに電力を本体からケーブルを介してリモコンに供給することが可能なように構成されている。これにより、リモコンに電力を供給する乾電池が電池切れした場合にも、リモコンを動作させることが可能である。
【０００５】
また、上記特許文献３には、音声信号出力端子をワイヤリモコンの信号が入力される入力端子として用いる液晶プロジェクタが開示されている。
【０００６】
【特許文献１】特開２００３−２８７２６９号公報
【特許文献２】特開平８−２１４３８１号公報
【特許文献３】特開２００６−３１１２１７号公報
【発明の開示】
【発明が解決しようとする課題】
【０００７】
しかしながら、上記特許文献１の空気調和機では、乾電池が電池切れした場合にも、ワイヤレスリモコンを動作させることが可能であるが、端子盤を設ける必要があるので、その分、部品点数が増加するという問題点がある。
【０００８】
また、上記特許文献２の携帯用音響装置では、本体の音声信号出力端子から電力が供給されることにより、部品点数が増加するのを抑制しながら、乾電池が電池切れした場合にも、リモコンを動作させることが可能である。しかしながら、リモコンと本体から音声信号が入力される外部機器とがそれぞれ別個の装置である場合については、開示も示唆もされていない。
【０００９】
なお、上記特許文献３には、リモコンに電力を供給する乾電池が電池切れした場合にも、リモコンを動作させることが可能な構成については、開示も示唆もされていない。
【００１０】
本発明は、上述した課題を解決するものであって、その目的とするところは、リモコンと外部機器とがそれぞれ別個の装置である場合に、信号を外部機器に出力するための出力端子からリモコンを動作させるための電力を出力することが可能な信号出力装置およびＡＶ機器を提供することである。
【課題を解決するための手段】
【００１１】
本発明の信号出力装置は、信号を外部機器に出力するための出力端子が設けられた装置本体と、装置本体を遠隔操作するためのリモコンと、を備えた信号出力装置において、装置本体には、出力端子に外部機器およびリモコンのいずれが接続されたかを判別する判別回路が設けられており、出力端子は、判別回路により出力端子にリモコンが接続されたと判断された場合に、リモコンを動作させるための電力を出力するように構成されている。
【００１２】
このように構成することによって、出力端子に外部機器が接続された場合には、出力端子から外部機器に信号を出力するとともに、出力端子にリモコンが接続された場合には、出力端子からリモコンに電力を出力することができる。このため、リモコンと外部機器とがそれぞれ別個の装置であり、リモコンの乾電池が電池切れした場合にも、リモコンを出力端子に接続することにより、リモコンを動作させることができる。
【００１３】
上記信号出力装置において、装置本体には、リモコンを動作させるための電力を出力する電源回路と、判別回路により出力端子にリモコンが接続されたと判断された場合に、出力端子と電源回路とを接続するためのスイッチング素子と、が設けられていてもよい。
【００１４】
このように構成することによって、出力端子に外部機器が接続された場合には、出力端子から外部機器に信号を出力するとともに、出力端子にリモコンが接続された場合には、出力端子からリモコンに電力を出力することが容易にできる。
【００１５】
上記信号出力装置において、リモコンには、出力端子にケーブルを介して接続される入力端子が設けられていてもよい。
【００１６】
このように構成することによって、出力端子に接続されるケーブルがリモコンに設けられている場合と異なり、リモコンの乾電池が電池切れしていない場合には、ケーブルを取り外すことができるので、利用者がリモコンを操作する際にケーブルが邪魔になるのを防止することができる。
【００１７】
上記信号出力装置において、判別回路は、リモコンのインピーダンスが外部機器のインピーダンスよりも大きいことに基づいて、出力端子に外部機器およびリモコンのいずれが接続されたかを判別してもよい。
【００１８】
また、本発明のＡＶ機器は、デジタル音声信号を外部アンプに出力するための音声信号出力端子が設けられた装置本体と、装置本体を遠隔操作するためのリモコンと、を備えたＡＶ機器において、装置本体には、音声信号出力端子に外部アンプおよびリモコンのいずれが接続されたかを判別する判別回路が設けられており、音声信号出力端子は、判別回路により音声信号出力端子にリモコンが接続されたと判断された場合に、リモコンを動作させるための電力を出力するように構成されている。
【００１９】
このように構成することによって、音声信号出力端子に外部アンプが接続された場合には、音声信号出力端子から外部アンプにデジタル音声信号を出力するとともに、音声信号出力端子にリモコンが接続された場合には、音声信号出力端子からリモコンに電力を出力することができる。このため、リモコンと外部アンプとがそれぞれ別個の装置であり、リモコンの乾電池が電池切れした場合にも、リモコンを音声信号出力端子に接続することにより、リモコンを動作させることができる。
【発明の効果】
【００２０】
本発明によれば、リモコンと外部機器とがそれぞれ別個の装置である場合に、信号を外部機器に出力するための出力端子からリモコンを動作させるための電力を出力することが可能な信号出力装置およびＡＶ機器を提供することができる。
【発明を実施するための最良の形態】
【００２１】
以下、本発明の実施形態について、図面を参照しながら説明する。なお、以下の実施形態では、信号出力装置およびＡＶ（Audio-Visual）機器の一例である液晶テレビジョン受像機（以下、「液晶テレビ」という）に本発明を適用した場合について説明する。
【００２２】
図１は、本発明の一実施形態による液晶テレビの全体構成を示したブロック図である。図２は、図１の液晶テレビのテレビ本体の音声信号出力端子の近傍を示した回路図である。図３は、図１の液晶テレビのリモコンを示した回路図である。図４は、図１の液晶テレビのテレビ本体に接続される外部アンプを示した図である。まず、図１〜図４を参照して、本実施形態による液晶テレビ１００の構成について説明する。
【００２３】
本発明の一実施形態による液晶テレビ１００は、図１に示すように、テレビジョン放送を受信して表示するテレビ本体１と、テレビ本体１を遠隔操作するためのリモコン２とを備えている。なお、テレビ本体１は、本発明の「装置本体」の一例である。
【００２４】
テレビ本体１は、チューナ１１と、信号処理部１２と、表示部１３と、音声再生部１４と、電源回路１５と、受信部１６と、制御部１７とを含んでおり、これらはバス１ａを介して接続されている。
【００２５】
チューナ１１は、アンテナ１５１が受信したテレビジョン放送のチャンネルを選択するとともに、選択されたチャンネルの放送信号を信号処理部１２に出力する機能を有する。
【００２６】
信号処理部１２は、デコーダなどを含み、チューナ１１から入力された放送信号に対して所定の処理を行うために設けられている。また、信号処理部１２は、映像信号を表示部１３に出力するとともに、音声信号を音声再生部１４および音声信号出力端子１８に出力する機能を有する。なお、音声信号は、たとえば、Ｓ／ＰＤＩＦ（Sony/Philips Digital Interface）規格のデジタル音声信号である。
【００２７】
表示部１３は、液晶パネルやパネル駆動回路などを含み、信号処理部１２から入力された映像信号に基づいて、映像を表示するように構成されている。音声再生部１４は、スピーカやアンプなどを含み、信号処理部１２から入力された音声信号に基づいて、音声を再生するように構成されている。
【００２８】
電源回路１５は、テレビ本体１の各部に電力を供給するために設けられている。受信部１６は、フォトダイオードなどを含み、リモコン２から出力される赤外線リモコン信号を受信して制御部１７に出力する機能を有する。制御部１７は、ＣＰＵ、ＲＯＭ、およびＲＡＭなどを含み、テレビ本体１の動作を制御する機能を有する。
【００２９】
音声信号出力端子１８は、テレビ本体１に設けられており、たとえば、同軸デジタル端子である。この音声信号出力端子１８は、外部アンプ１５２（図５参照）に音声信号を出力するために設けられている。なお、音声信号出力端子１８は、本発明の「出力端子」の一例である。
【００３０】
音声信号出力端子１８は、図２に示すように、同軸ケーブル１５３の中心導体１５３ａ（図５参照）をノードＮ１に接続する端子部１８ａと、同軸ケーブル１５３の外部導体１５３ｂ（図５参照）をグランドに接続する端子部１８ｂとを有する。なお、同軸ケーブル１５３は、本発明の「ケーブル」の一例である。
【００３１】
また、ノードＮ１には、カップリングコンデンサ１ｂを介して信号処理部１２（図１参照）から音声信号が出力されている。また、ノードＮ１には、プルアップ抵抗１ｃが接続されており、電源回路１５（図１参照）から約５Ｖの電圧が印加されている。なお、プルアップ抵抗１ｃの抵抗値は、たとえば、約１００ｋΩである。
【００３２】
ここで、本実施形態では、ノードＮ１には、音声信号出力端子１８に外部アンプ１５２（図５参照）およびリモコン２（図６参照）のいずれが接続されたかを判別する判別回路１９が接続されている。また、判別回路１９には、音声信号出力端子１８にリモコン２が接続されたと判断された場合に、音声信号出力端子１８と電源回路１５（図１参照）とを接続するｐｎｐ型のトランジスタ２０が接続されている。なお、トランジスタ２０は、本発明の「スイッチング素子」の一例である。
【００３３】
判別回路１９は、リモコン２（図６参照）のインピーダンスが外部アンプ１５２（図５参照）のインピーダンスよりも大きいことに基づいて、音声信号出力端子１８に外部アンプ１５２およびリモコン２のいずれが接続されたかを判別するように構成されている。具体的には、判別回路１９は、ｐｎｐ型のトランジスタ１９ａと、ｎｐｎ型のトランジスタ１９ｂおよび１９ｃとを含んでいる。
【００３４】
トランジスタ１９ａは、ベースが抵抗器１９ｄを介してノードＮ１に接続されるとともに、コレクタが抵抗器１９ｅを介して接地されている。また、トランジスタ１９ａのエミッタには、電源回路１５（図１参照）から約５Ｖの電圧が印加されている。
【００３５】
トランジスタ１９ｂは、ベースが抵抗器１９ｆを介してトランジスタ１９ａのコレクタに接続されている。また、トランジスタ１９ｂは、コレクタがトランジスタ１９ｃのエミッタに接続されるとともに、エミッタが接地されている。
【００３６】
トランジスタ１９ｃは、ベースが抵抗器１９ｇを介してノードＮ１に接続されている。また、トランジスタ１９ｃのコレクタには、抵抗器１９ｈを介して電源回路１５（図１参照）から約５Ｖの電圧が印加されている。
【００３７】
トランジスタ２０は、ベースが抵抗器２０ａを介してトランジスタ１９ｃのコレクタに接続されるとともに、コレクタが抵抗器２０ｂを介して音声信号出力端子１８の端子部１８ａに接続されている。また、トランジスタ２０のエミッタには、電源回路１５（図１参照）から約５Ｖの電圧が印加されている。また、トランジスタ２０のベースには、電解コンデンサ２０ｃのプラス側が接続され、電解コンデンサ２０ｃのマイナス側が接地されている。なお、抵抗器２０ｂの抵抗値は、プルアップ抵抗１ｃの抵抗値よりも小さい値である。
【００３８】
リモコン２は、図３に示すように、発光ダイオード２１と、制御回路２２と、操作ボタン２３と、定電圧回路２４と、入力端子２５とを含んでいる。このリモコン２には、電圧が約１．５Ｖの乾電池１５４が２つ取り付けられている。なお、リモコン２は、乾電池１５４が電池切れした場合に、乾電池１５４を交換することが可能なように構成されている。
【００３９】
発光ダイオード２１は、赤外線リモコン信号を送信するために設けられている。この発光ダイオード２１のアノードは、乾電池１５４のプラス側に接続されるとともに、抵抗器２ａを介してノードＮ２に接続されている。また、発光ダイオード２１のカソードは、抵抗器２ｂを介してｎｐｎ型のトランジスタ２ｃのコレクタに接続されている。トランジスタ２ｃは、ベースが抵抗器２ｄを介して制御回路２２に接続されるとともに、エミッタが接地されている。
【００４０】
制御回路２２は、操作ボタン２３から入力された指令に応じた信号をトランジスタ２ｃのベースに出力することにより、トランジスタ２ｃのオン／オフ状態を制御するように構成されている。これにより、操作ボタン２３から入力された指令に応じた赤外線リモコン信号が発光ダイオード２１から送信される。なお、この制御回路２２の推奨電源電圧範囲は、たとえば、約１．９Ｖ〜約３．６Ｖである。また、制御回路２２は、後述する外部アンプ１５２の負荷１５２ａ（図４参照）のインピーダンスよりも大きいインピーダンスを有する。
【００４１】
操作ボタン２３は、電源ボタンなどのテレビ本体１を操作するための各種操作ボタンを有する。
【００４２】
定電圧回路２４は、制御回路２２を動作させるための電力を供給するために設けられている。また、定電圧回路２４は、ノードＮ２に約３．４Ｖ以上の電圧が印加された場合に、制御回路２２に約３．４Ｖの電圧を供給するように構成されている。
【００４３】
定電圧回路２４は、ツェナーダイオード２４ａと、電解コンデンサ２４ｂとを有する。ツェナーダイオード２４ａは、カソードがノードＮ２に接続されるとともに、アノードが接地されている。電解コンデンサ２４ｂは、プラス側がノードＮ２に接続されるとともに、マイナス側が接地されている。
【００４４】
入力端子２５は、同軸ケーブル用の端子であり、同軸ケーブル１５３の中心導体１５３ａ（図６参照）をノードＮ２に接続する端子部２５ａと、同軸ケーブル１５３の外部導体１５３ｂ（図６参照）をグランドに接続する端子部２５ｂとを有する。
【００４５】
２つの乾電池１５４は、直列に接続されており、プラス側が抵抗器２ａを介してノードＮ２に接続されるとともに、マイナス側が接地されている。
【００４６】
図４に示すように、外部アンプ１５２は、負荷１５２ａと、入力端子１５２ｂとを含んでいる。なお、外部アンプ１５２は、本発明の「外部機器」の一例である。負荷１５２ａは、プルアップ抵抗１ｃ（図２参照）の抵抗値よりも十分に小さい、たとえば、約７５Ωのインピーダンスを有する。入力端子１５２ｂは、同軸ケーブル用の端子であり、同軸ケーブル１５３の中心導体１５３ａ（図５参照）を負荷１５２に接続する端子部１５２ｃと、同軸ケーブル１５３の外部導体１５３ｂ（図５参照）をグランドに接続する端子部１５２ｄとを有する。
【００４７】
図５および図６は、本発明の一実施形態による液晶テレビの動作を説明するための回路図である。次に、図２、図５、および図６を参照して、本実施形態による液晶テレビ１００の動作について説明する。なお、以下の動作説明では、テレビ本体１に外部アンプ１５２が接続された場合と、テレビ本体１にリモコン２が接続された場合とについて説明する。
【００４８】
（接続前）
図２に示すように、音声信号出力端子１８に外部アンプ１５２（図５参照）およびリモコン２（図６参照）が接続されていない場合には、ノードＮ１に、プルアップ抵抗１ｃを介して電源回路１５（図１参照）から約５Ｖの電圧が印加されることにより、ノードＮ１の電圧が約５Ｖで保持される。このとき、トランジスタ１９ａがオフ状態になる。このため、トランジスタ１９ｂもオフ状態になる。
【００４９】
そして、トランジスタ１９ｂがオフ状態のときには、トランジスタ１９ｃのベース電流が流れないので、トランジスタ１９ｃもオフ状態になる。したがって、トランジスタ２０もオフ状態になる。また、ノードＮ１には、カップリングコンデンサ１ｂを介して信号処理部１２（図１参照）から音声信号が出力されている。これにより、音声信号出力端子１８は、音声信号が乗った状態で約５Ｖの電圧で保持される。
【００５０】
（外部アンプを接続した場合）
図５に示すように、同軸ケーブル１５３の中心導体１５３ａにより、音声信号出力端子１８の端子部１８ａと外部アンプ１５２の入力端子１５２ｂの端子部１５２ｃとが接続された場合には、プルアップ抵抗１ｃが負荷１５２ａのインピーダンスよりも十分に大きいことから、ノードＮ１の電圧が０Ｖ近傍まで低下する。これにより、トランジスタ１９ａのベース電圧が低下するので、トランジスタ１９ａがオン状態になる。このため、トランジスタ１９ｂのベース電圧が上昇するので、トランジスタ１９ｂもオン状態になる。
【００５１】
しかし、トランジスタ１９ｃのベース電圧が低下するので、トランジスタ１９ｃはオフ状態のままである。したがって、トランジスタ２０もオフ状態のままである。また、ノードＮ１には、カップリングコンデンサ１ｂを介して信号処理部１２（図１参照）から音声信号が出力されている。このとき、ノードＮ１の電圧が大きく低下していることから、音声信号に直流成分が乗るのを抑制しながら、外部アンプ１５２に音声信号が出力される。
【００５２】
（リモコンを接続した場合）
図６に示すように、同軸ケーブル１５３の中心導体１５３ａにより、音声信号出力端子１８の端子部１８ａとリモコン２の入力端子２５の端子部２５ａとが接続された場合には、制御回路２２のインピーダンスが負荷１５２ａ（図５参照）のインピーダンスよりも大きいことから、ノードＮ１の電圧が約２Ｖまで低下する。これにより、トランジスタ１９ａのベース電圧が低下するので、トランジスタ１９ａがオン状態になる。このため、トランジスタ１９ｂのベース電圧が上昇するので、トランジスタ１９ｂもオン状態になる。
【００５３】
そして、トランジスタ１９ｃではベース電流が流れるので、トランジスタ１９ｃがオン状態になる。したがって、トランジスタ２０のベース電圧が低下するので、トランジスタ２０もオン状態になる。これにより、音声信号出力端子１８の端子部１８ａには、プルアップ抵抗１ｃよりも抵抗値が小さい抵抗器２０ｂを介して電源回路１５（図１参照）から約５Ｖの電圧が印加される。そして、その電圧が同軸ケーブル１５３の中心導体１５３ａ、入力端子２５の端子部２５ａ、およびノードＮ２を介して、定電圧回路２４に供給される。これにより、定電圧回路２４から約３．４Ｖの電圧が制御回路２２に供給される。なお、信号処理部１２（図１参照）から出力された音声信号は、定電圧回路２４の電解コンデンサ２４ｂにより除去される。
【００５４】
本実施形態では、上記のように、判別回路１９およびトランジスタ２０を設けることによって、音声信号出力端子１８に外部アンプ１５２が接続された場合（図５参照）には、音声信号出力端子１８から外部アンプ１５２に音声信号を出力するとともに、音声信号出力端子１８にリモコン２が接続された場合（図６参照）には、音声信号出力端子１８からリモコン２に電圧を供給することができる。このため、リモコン２と外部アンプ１５２とがそれぞれ別個の装置であり、リモコン２の乾電池１５４が電池切れした場合にも、リモコン２を音声信号出力端子１８に接続することにより、リモコン２を動作させることができる。
【００５５】
すなわち、本実施形態の液晶テレビ１００では、音声信号を外部アンプ１５２に出力するための音声信号出力端子１８を、リモコン２を動作させるための電圧を出力する出力端子としても用いることができる。したがって、リモコン２を動作させるための電圧を出力する出力端子を別途設ける必要がないという利点もある。
【００５６】
また、本実施形態では、音声信号出力端子１８にリモコン２が接続された場合に、トランジスタ２０をオン状態にすることによって、容易に、音声信号出力端子１８からリモコン２に電圧を供給することができる。
【００５７】
また、本実施形態では、音声信号出力端子１８に外部アンプ１５２が接続された場合に、トランジスタ１９ｃがオフ状態であることによって、トランジスタ２０をオフ状態のままにすることができるので、容易に、音声信号出力端子１８から外部アンプ１５２に音声信号を出力することができる。
【００５８】
また、本実施形態では、トランジスタ１９ａおよび１９ｂを設けることによって、音声信号出力端子１８に外部アンプ１５２およびリモコン２が接続されていない場合（図２参照）に、トランジスタ１９ｃをオフ状態にすることができる。これにより、音声信号出力端子１８にリモコン２が接続された場合にのみ、トランジスタ２０をオン状態にすることができる。
【００５９】
また、本実施形態では、乾電池１５４によりリモコン２を動作させることができるとともに、乾電池１５４が電池切れした場合には、テレビ本体１に接続することによりリモコン２を動作させることができるので、テレビ本体に接続されることにより動作する有線リモコンと、乾電池により動作する無線リモコンとを液晶テレビに同梱する場合と比べて、部品点数が増加するのを抑制することができる。
【００６０】
また、本実施形態では、テレビ本体１に接続することによりリモコン２を動作させることができるので、テレビ本体に接続されることにより動作する有線リモコンと、乾電池により動作する無線リモコンとが液晶テレビに同梱され、有線リモコンの操作ボタンが無線リモコンの操作ボタンよりも少ない場合と異なり、乾電池１５４が電池切れした場合にも操作が制限されるのを抑制することができる。
【００６１】
また、本実施形態では、テレビ本体１と外部アンプ１５２とを接続する同軸ケーブル１５３を利用して、テレビ本体１とリモコン２とを接続することによって、テレビ本体１とリモコン２とを接続する専用のケーブルを液晶テレビ１００に同梱する必要がないので、その分、部品点数が増加するのを抑制することができる。
【００６２】
また、本実施形態では、リモコン２に入力端子２５を設けることによって、音声信号出力端子１８に接続される同軸ケーブルがリモコン２に設けられている場合と異なり、リモコン２の乾電池１５４が電池切れしていない場合には、同軸ケーブル１５３を取り外すことができるので、利用者がリモコン２を操作する際に同軸ケーブル１５３が邪魔になるのを防止することができる。
【００６３】
本発明は、上述した以外にも種々の実施形態を採用することができる。たとえば、上記実施形態では、信号出力装置およびＡＶ機器の一例として液晶テレビ１００を示したが、これに限らず、信号を外部機器に出力するための出力端子が設けられたＤＶＤプレーヤに本発明を適用してもよい。
【００６４】
また、上記実施形態では、出力端子の一例として音声信号出力端子１８を示したが、これに限らず、たとえば、出力端子として映像信号出力端子を用いてもよい。
【００６５】
また、上記実施形態では、入力端子２５をリモコン２に設ける例を示したが、これに限らず、音声信号出力端子１８に接続される同軸ケーブルをリモコン２に設けてもよい。
【図面の簡単な説明】
【００６６】
【図１】本発明の一実施形態による液晶テレビの全体構成を示したブロック図である。
【図２】図１の液晶テレビのテレビ本体の音声信号出力端子の近傍を示した回路図である。
【図３】図１の液晶テレビのリモコンを示した回路図である。
【図４】図１の液晶テレビのテレビ本体に接続される外部アンプを示した図である。
【図５】図１の液晶テレビのテレビ本体に外部アンプが接続された状態を示した回路図である。
【図６】図１の液晶テレビのテレビ本体にリモコンが接続された状態を示した回路図である。
【符号の説明】
【００６７】
１      テレビ本体（装置本体）
２      リモコン
１５    電源回路
１８    音声信号出力端子（出力端子）
１９    判別回路
２０    トランジスタ（スイッチング素子）
２５    入力端子
１００  液晶テレビ（ＡＶ機器、信号出力装置）
１５２  外部アンプ（外部機器）
１５３  同軸ケーブル（ケーブル） 
【図１】
2010098488.tif 000003
【図２】
2010098488.tif 000004
【図３】
2010098488.tif 000005
【図４】
2010098488.tif 000006
【図５】
2010098488.tif 000007
【図６】
2010098488.tif 000008